(57)【要約】【課題】  出力データを用いる後段の装置の誤動作を防ぐことが可能なディジタル放送機器を提供する。【解決手段】  入力検出回路１１は入力信号である放送ＴＳよりＯＦＤＭ変調器の動作パラメータ情報、マッピング用データ、タイミング情報等を検出する。出力タイミング作成回路１２は動作パラメータ情報及びタイミング情報より検出した出力データの出力タイミングを作成し、ＲＡＭ１３の読出しイネーブル信号とする。ＲＡＭ１３はマッピング用データ及びイネーブル信号にしたがって、出力データの書込み及び読出しを行う。エラー判定回路２０のカウンタ２１はマッピング用データをカウントし、カウンタ２２は読出しのイネーブル信号をカウントする。判定回路２３はカウンタ２１，２２のカウント値の大小関係によってエラー判定を行い、その結果に応じて制御信号を出力切替回路１４に出力する。【選択図】      図１
2008244909.tif 000002
【特許請求の範囲】
【請求項１】
入力信号よりデータを検出して後段の装置に出力するディジタル放送機器であって、
前記入力信号から出力用データを検出する入力検出手段と、前記出力用データを保持するメモリと、前記メモリに書込むデータ数と前記メモリから読出すデータ数とをリアルタイムに比較してエラー判定を行う判定手段と、前記判定手段でエラーが検出された時に前記メモリから読出した出力用データを破棄して予め設定された固定データを出力する切替手段とを有し、
前記判定手段は、前記メモリから読出すデータ数が前記メモリに書込むデータ数より大きい場合にエラーと判定することを特徴とするディジタル放送機器。
【請求項２】
前記入力検出手段は、前記入力信号である放送ＴＳ（Ｔｒａｎｓｐｏｒｔ  Ｓｔｒｅａｍ）より少なくともＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調器の動作パラメータ情報、マッピング用データ、タイミング情報を検出し、
前記入力検出手段で検出されたマッピング用データを前記メモリへのデータの書込みに使用し、前記入力検出手段で検出された動作パラメータ情報及びタイミング情報より検出した出力用データの出力タイミングを作成して前記メモリの読出しに使用することを特徴とする請求項１記載のディジタル放送機器。
【請求項３】
前記判定手段は、前記メモリに書込まれたデータ数をカウントする第１のカウンタと、前記メモリから読出されるデータ数をカウントする第２のカウンタと、前記第１及び第２のカウンタそれぞれのカウント値の大小関係によってエラー判定を行う判定回路とを含むことを特徴とする請求項１または請求項２記載のディジタル放送機器。
【請求項４】
前記切替手段は、前記判定手段でエラーが検出された時に、前記第１及び第２のカウンタの大小関係が解消しても次の出力ＯＦＤＭ信号用フレームが検出されるまで前記固定データの出力状態を保持することを特徴とする請求項３記載のディジタル放送機器。
【請求項５】
前記固定データは、少なくともヌルデータ及びスタッフィングビットのいずれかであることを特徴とする請求項１から請求項４のいずれか記載のディジタル放送機器。
【請求項６】
入力信号よりデータを検出して後段の装置に出力するディジタル放送機器に用いる出力データ判定方法であって、
前記ディジタル放送機器が、前記入力信号から出力用データを検出する入力検出処理と、前記出力用データを保持するメモリに書込むデータ数と前記メモリから読出すデータ数とをリアルタイムに比較してエラー判定を行う判定処理と、前記判定処理でエラーが検出された時に前記メモリから読出した出力用データを破棄して予め設定された固定データを出力する切替処理とを実行し、
前記判定処理において、前記メモリから読出すデータ数が前記メモリに書込むデータ数より大きい場合にエラーと判定することを特徴とする出力データ判定方法。
【請求項７】
前記ディジタル放送機器が、前記入力検出処理において、前記入力信号である放送ＴＳ（Ｔｒａｎｓｐｏｒｔ  Ｓｔｒｅａｍ）より少なくともＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調器の動作パラメータ情報、マッピング用データ、タイミング情報を検出し、
前記入力検出処理で検出されたマッピング用データを前記メモリへのデータの書込みに使用し、前記入力検出処理で検出された動作パラメータ情報及びタイミング情報より検出した出力用データの出力タイミングを作成して前記メモリの読出しに使用することを特徴とする請求項６記載の出力データ判定方法。
【請求項８】
前記判定処理に、前記メモリに書込まれたデータ数をカウントする第１のカウント処理と、前記メモリから読出されるデータ数をカウントする第２のカウント処理と、前記第１及び第２のカウント処理それぞれのカウント値の大小関係によってエラー判定を行う処理とを含むことを特徴とする請求項６または請求項７記載の出力データ判定方法。
【請求項９】
前記ディジタル放送機器が、前記切替処理において、前記判定処理でエラーが検出された時に、前記第１及び第２のカウンタの大小関係が解消しても次の出力ＯＦＤＭ信号用フレームが検出されるまで前記固定データの出力状態を保持することを特徴とする請求項８記載の出力データ判定方法。
【請求項１０】
前記固定データは、少なくともヌルデータ及びスタッフィングビットのいずれかであることを特徴とする請求項６から請求項９のいずれか記載の出力データ判定方法。
【発明の詳細な説明】
【技術分野】
【０００１】
本発明はディジタル放送機器及びそれに用いる出力データ判定方法に関し、特にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調器において、入力信号である放送ＴＳ（Ｔｒａｎｓｐｏｒｔ  Ｓｔｒｅａｍ）よりマッピング用データを検出してＯＦＤＭ変調処理する回路のマッピングデータの処理に関する。
【背景技術】
【０００２】
ディジタル放送方式ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ  Ｔｅｌｅｖｉｓｉｏｎ  Ｂｒｏａｄｃａｓｔｉｎｇ）のＯＦＤＭ変調器における放送ＴＳからのマッピング用データの検出方法及び変調方法についてはＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ  ｏｆ  Ｊａｐａｎ）  ＳＴＤ−Ｂ３１に記載されている。
【０００３】
このＡＲＩＢ  ＳＴＤ−Ｂ３１においては、マッピング用データについて、アンダフローの回避策として変調器への入力の必要性、オーバフローについては変調器による伝送容量を超えた分の破棄が記載されている（例えば、非特許文献１参照）。
【０００４】
しかしながら、入力ＴＳに異常が発生する等して、ＴＳから検出されるマッピング用データの数が出力に必要な数に届かない場合や検出タイミングより出力タイミングが早くなる場合に伴う、不定データの出力については、厳密に規定されていない。
【０００５】
【非特許文献１】“ＴＲＡＮＳＭＩＳＳＩＯＮ  ＳＹＳＴＥＭ  ＦＯＲ  ＤＩＧＩＴＡＬ  ＴＥＲＲＥＳＴＲＩＡＬ  ＴＥＬＥＶＩＳＩＯＮ  ＢＲＯＡＤＣＡＳＴＩＮＧ  ６．４．２”（ＡＲＩＢ  ＳＴＤ−Ｂ３１）
【発明の開示】
【発明が解決しようとする課題】
【０００６】
上述した従来のＯＦＤＭ変調処理する回路のマッピングデータの処理では、検出回路で入力信号についてパリティ等を用いたエラー検出によって検証を行い、異常入力と判定されたものから検出されたデータが破棄されている。
【０００７】
しかしながら、上記のマッピングデータの処理では、入力信号から検出されるデータ数が出力に必要なデータ数に届かない場合や検出タイミングより出力タイミングが早くなる場合に伴う、不定データの出力について考慮されていない。そのため、上記のマッピングデータの処理では、例え正常な入力信号及び検出データであっても、後段の装置の不具合を誘発してしまう可能性が考えられる。
【０００８】
そこで、本発明の目的は上記の問題点を解消し、出力データを用いる後段の装置の誤動作を防ぐことができるディジタル放送機器及びそれに用いる出力データ判定方法を提供することにある。
【課題を解決するための手段】
【０００９】
本発明によるディジタル放送機器は、入力信号よりデータを検出して後段の装置に出力するディジタル放送機器であって、
前記入力信号から出力用データを検出する入力検出手段と、前記出力用データを保持するメモリと、前記メモリに書込むデータ数と前記メモリから読出すデータ数とをリアルタイムに比較してエラー判定を行う判定手段と、前記判定手段でエラーが検出された時に前記メモリから読出した出力用データを破棄して予め設定された固定データを出力する切替手段とを備え、
前記判定手段は、前記メモリから読出すデータ数が前記メモリに書込むデータ数より大きい場合にエラーと判定している。
【００１０】
本発明による出力データ判定方法は、入力信号よりデータを検出して後段の装置に出力するディジタル放送機器に用いる出力データ判定方法であって、
前記ディジタル放送機器が、前記入力信号から出力用データを検出する入力検出処理と、前記出力用データを保持するメモリに書込むデータ数と前記メモリから読出すデータ数とをリアルタイムに比較してエラー判定を行う判定処理と、前記判定処理でエラーが検出された時に前記メモリから読出した出力用データを破棄して予め設定された固定データを出力する切替処理とを実行し、
前記判定処理において、前記メモリから読出すデータ数が前記メモリに書込むデータ数より大きい場合にエラーと判定している。
【００１１】
すなわち、本発明のディジタル放送機器は、入力検出回路で検出される出力用データをメモリ（ＲＡＭ）に書込むデータ数とメモリから読出すデータ数とをリアルタイムに比較し、読出しのデータ数が書き込まれているデータ数より大きい場合にエラーとみなして以後の出力データを破棄するとともに、破棄したデータの代わりに出力切替回路にてヌル（ｎｕｌｌ）データまたはスタッフィングビット（“１”）等の固定データを出力する。
【００１２】
より具体的に説明すると、本発明のディジタル放送機器では、入力検出回路にて入力信号である放送ＴＳ（Ｔｒａｎｓｐｏｒｔ  Ｓｔｒｅａｍ）よりＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調器の動作パラメータ情報、マッピング用データ、タイミング情報等を検出する。入力検出回路で検出された動作パラメータ情報及びタイミング情報は、出力タイミング作成回路及び出力切替回路に供給される。マッピング用データはデータに同期したイネーブル信号とともにメモリに供給され、メモリの書込みに使用される。
【００１３】
出力タイミング作成回路は、入力検出回路から供給された動作パラメータ情報及びタイミング情報より検出した出力データの出力タイミングを作成し、メモリの読出しイネーブル信号としてメモリに供給する。メモリでは供給されているそれぞれのイネーブル信号にしたがって、出力データの書込み及び読出しを行う。
【００１４】
エラー判定回路は、メモリに供給されている書込みのイネーブル信号を入力し、メモリに書込まれたデータ数をカウントする第１のカウンタと、メモリに供給されている読出しのイネーブル信号を入力し、メモリから読出されたデータ数をカウントする第２のカウンタと、第１及び第２のカウンタそれぞれのカウント値の大小関係によってエラー判定を行う判定回路とから構成されている。
【００１５】
判定回路はエラー判定結果に応じて、出力切替回路に制御信号を供給する。制御信号は判定回路のエラー判定により状態がアクティブに変更された場合、第１及び第２のカウンタの大小関係が改善されても、次の出力ＯＦＤＭ信号用フレームが検出されるまで状態を保持する。
【００１６】
出力切替回路は、入力検出回路から供給される動作パラメータ情報及びタイミング情報と、判定回路から供給される制御信号とを用いて、メモリからの出力データの切替えを行う。出力切替回路は、判定回路にてエラーが検出されない場合にヒステリシスを持って正常にデータを出力し、判定回路にてエラーが検出されれば、メモリからの出力データを破棄し、代わりに予め指定されている固定データを出力する。
【００１７】
これによって、本発明のディジタル放送機器では、入力信号から検出したデータの異常出力の減少及び有効活用が可能となり、出力信号を用いる後段の装置の誤作動を抑えることが可能となる。
【発明の効果】
【００１８】
本発明は、上記のような構成及び動作とすることで、出力データを用いる後段の装置の誤動作を防ぐことができるという効果が得られる。
【発明を実施するための最良の形態】
【００１９】
次に、本発明の実施例について図面を参照して説明する。図１は本発明の一実施例によるディジタル放送機器の構成を示すブロック図である。図１において、本発明の一実施例によるディジタル放送機器は、入力検出回路１１と、出力タイミング作成回路１２と、ＲＡＭ（Ｒａｎｄｏｍ  Ａｃｃｅｓｓ  Ｍｅｍｏｒｙ）１３と、出力切替回路１４と、エラー判定回路２０とから構成されている。
【００２０】
本発明の一実施例によるディジタル放送機器は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調器において、入力信号である放送ＴＳ（Ｔｒａｎｓｐｏｒｔ  Ｓｔｒｅａｍ）から必要な情報を検出し、ＯＦＤＭ変調されて伝送されるキャリアにマッピングする装置である。
【００２１】
放送ＴＳはＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ  ｏｆ  Ｊａｐａｎ）規格ＳＴＤ−Ｂ３１によって規定されるフレームフォーマットのディジタル信号で、ＯＦＤＭ変調後の変調器出力は放送ＴＳに多重されたフレーム周期で送出される。
【００２２】
入力検出回路１１は入力信号である放送ＴＳよりＯＦＤＭ変調器の動作パラメータ情報、マッピング用データ、タイミング情報等を検出する。入力検出回路１１で検出された動作パラメータ情報及びタイミング情報は、出力タイミング作成回路１２及び出力切替回路１４に供給される。マッピング用データはデータに同期したイネーブル（ＥＮＡＢＬＥ）信号とともにＲＡＭ１３に供給され、ＲＡＭ１３の書込みに使用される。
【００２３】
出力タイミング作成回路１２では、入力検出回路１１から供給された動作パラメータ情報及びタイミング情報より検出した出力データの出力タイミングを作成し、ＲＡＭ１３の読出しイネーブル信号としてＲＡＭ１３に供給する。ＲＡＭ１３では供給されているそれぞれのイネーブル信号にしたがって、出力データの書込み及び読出しを行う。
【００２４】
エラー判定回路２０はカウンタ２１と、カウンタ２２と、判定回路２３とから構成されている。カウンタ２１は、ＲＡＭ１３に供給されている書込みのイネーブル信号を入力し、ＲＡＭ１３に書込まれたデータ数をカウントする。カウンタ２２は、ＲＡＭ１３に供給されている読出しのイネーブル信号を入力し、ＲＡＭ１３から読出されたデータ数をカウントする。
【００２５】
判定回路２３はカウンタ２１，２２それぞれのデータ数を入力し、カウンタ２１，２２のカウント値の大小関係によってエラー判定を行い、出力切替回路１４に制御信号を供給する。制御信号は判定回路２３のエラー判定により状態がアクティブに変更された場合、カウンタ２１，２２の大小関係が改善されても、次の出力ＯＦＤＭ信号用フレームが検出されるまで状態を保持する。
【００２６】
出力切替回路１４では、入力検出回路１１から供給される動作パラメータ情報及びタイミング情報と、判定回路２３から供給される制御信号とを用いて、ＲＡＭ１３からの出力データの切替えを行う。判定回路２３にてエラーが検出されない場合には、ヒステリシスを持って正常にデータを出力し、判定回路２３にてエラーが検出されれば、ＲＡＭ１３からの出力データを破棄し、代わりに予め指定されている固定データを出力する。
【００２７】
図２〜図４は図１のエラー判定回路２０の動作を示すタイミングチャートである。これら図１〜図４を参照して本発明の一実施例によるエラー判定回路２０の動作について説明する。
【００２８】
図２に示すように、入力ＴＳより検出するタイミングは出力のタイミングより十分早く、放送ＴＳから出力に必要数以上のマッピング用データを検出した場合について考える。
【００２９】
時間ｔ１では、ＲＡＭ１３の書込みデータ数を示すカウンタ２１の値（ｂ）は、ＲＡＭ１３からの読出しデータ数を示すカウンタ２２の値（ｄ）よりも大きいため、判定回路２３にてエラーは判定されず、制御信号（ｅ）は０のままのため、マッピング用データにはＲＡＭ１３から読出したデータが出力される。
【００３０】
図３に示すように、入力ＴＳより検出するタイミングは出力のタイミングより十分に早いが、放送ＴＳから検出されるマッピング用データが出力に必要な数に届かない場合について考える。
【００３１】
時間ｔ２ではＲＡＭ１３の書込みデータ数を示すカウンタ２１の値（ｇ）はＲＡＭ１３からの読出しデータ数を示すカウンタ２２の値（ｉ）よりも大きいため、判定回路２３にてエラーは判定されず、マッピング用データにはＲＡＭ１３から読出したデータがそのまま出力される。
【００３２】
一方、時間ｔ３ではカウンタ２１の値（ｇ）よりカウンタ２２の値（ｉ）が大きい、つまり出力分のデータを検出できていないため、判定回路２３にてエラー判定され、制御信号（ｊ）が１となり、ＲＡＭ１３から読出されるデータが破棄され、固定データが出力切替回路１４から出力される。
【００３３】
図４に示すように、入力ＴＳから検出されるマッピング用データは十分検出されるが、入力ＴＳから検出するタイミングより出力のタイミングが早い場合について考える。
【００３４】
時間ｔ４ではＲＡＭ１３の書込みデータ数を示すカウンタ２１の値（ｌ）は、ＲＡＭ１３からの読出しデータ数を示すカウンタ２２の値（ｎ）よりも大きいため、判定回路２３にてエラーは判定されず、マッピング用データにはＲＡＭ１３から読出したデータがそのまま出力される。
【００３５】
一方、時間ｔ５ではカウンタ２１の値（ｌ）よりカウンタ２２の値（ｎ）が大きい、つまり出力用のデータを検出できていないため、判定回路２３にてエラー判定され、制御信号（ｏ）が１となり、ＲＡＭ１３から読出されるデータではなく、固定データが出力切替回路１４から出力される。
【００３６】
時間ｔ６ではカウンタ２１の値（ｌ）はカウンタ２２の値（ｎ）よりも大きいが、制御信号（ｏ）は次のＯＦＤＭ信号のフレームが検出されるまで状態が保持され、ＲＡＭ１３から読出されるデータではなく、固定データが出力される。
【００３７】
このように、本実施例では、入力信号からの検出データ数が出力に必要なデータ数に足りず途中で終了する場合や入力信号の検出より出力の速度の上回った場合にＲＡＭ１３からのデータを出力しないようにすることができるため、出力データを用いる後段の装置の誤動作を防ぐことができる。また、本実施例では、検出されたデータが正常なタイミングで出力可能なデータに関して破棄することなく、有効に活用することが可能となる。
【００３８】
尚、本発明は、上記の実施例で述べたＯＦＤＭ変調器に限定されるものではなく、入力信号よりデータを検出して出力するディジタル放送機器全般に適用することができる。
【図面の簡単な説明】
【００３９】
【図１】本発明の一実施例によるディジタル放送機器の構成を示すブロック図である。
【図２】図１のエラー判定回路の動作を示すタイミングチャートである。
【図３】図１のエラー判定回路の動作を示すタイミングチャートである。
【図４】図１のエラー判定回路の動作を示すタイミングチャートである。
【符号の説明】
【００４０】
１１  入力検出回路
１２  出力タイミング作成回路
１３  ＲＡＭ
１４  出力切替回路
２０  エラー判定回路
２１，２２  カウンタ
２３  判定回路
【図１】
2008244909.tif 000003
【図２】
2008244909.tif 000004
【図３】
2008244909.tif 000005
【図４】
2008244909.tif 000006